(57)【要約】【課題】パンツのウエスト部の開口部およびジャケットの裾の開口部からの雪の侵入を抑制すること、特に、背中側における当該開口部からの雪の侵入を防ぐことができる、ウンタースポーツ用ウエアを提供することを課題とする。【解決手段】ウインタースポーツ用ウエア１は、ウエスト部の開口部１２から雪が侵入することを防ぐ第一帯状体１１を前記ウエスト部に備えるパンツ１０と、裾の開口部２４から雪が侵入することを防ぐ第二帯状体２１を内側に備えるジャケット２０と、第一帯状体１１と第二帯状体２１とを連結する連結体３０とを具備し、連結体３０は、少なくともパンツ１０の後身頃を左右方向に渡るように第一帯状体１１に取付けられる一端縁３１と、少なくともジャケット２０の後身頃を左右方向に渡るように第二帯状体２１に取付けられる他端縁３２と、を有するものとする。【選択図】図１
0003158932.tif 000002
【実用新案登録請求の範囲】
【請求項１】
ウエスト部の開口部から雪が侵入することを防ぐ第一帯状体を前記ウエスト部に備えるパンツと、
裾の開口部から雪が侵入することを防ぐ第二帯状体を内側に備えるジャケットと、
前記第一帯状体と前記第二帯状体とを連結する連結体と、
を具備する、ウインタースポーツ用ウエアであって、
前記連結体は、
少なくとも前記パンツの後身頃を左右方向に渡るように、前記第一帯状体に取付けられる一端縁と、
少なくとも前記ジャケットの後身頃を左右方向に渡るように、前記第二帯状体に取付けられる他端縁と、を有する、
ウインタースポーツ用ウエア。
【請求項２】
前記連結体の一端縁は、前記第一帯状体の外側に取付けられ、前記連結体の他端縁は前記第二帯状体の内側に取付けられる、請求項１に記載のウインタースポーツ用ウエア。
【請求項３】
前記連結体の一端縁は、前記第一帯状体に着脱可能に取付けられる、請求項１または請求項２に記載のウインタースポーツ用ウエア。
【請求項４】
前記連結体の一端縁は、前記パンツのウエスト部の開口部より上方において前記第一帯状体に取付けられる、請求項１から請求項３のいずれか１項に記載のウインタースポーツ用ウエア。
【請求項５】
前記連結体の一端縁は、前記パンツの前身頃に至るように前記第一帯状体に取付けられ、
前記連結体の他端縁は、前記ジャケットの前身頃に至るように前記第二帯状体に取付けられる、請求項１から請求項４のいずれか１項に記載のウインタースポーツ用ウエア。
【請求項６】
ウインタースポーツ用ウエアのジャケットの内側に備えられて前記ジャケットの裾の開口部から雪が侵入することを防ぐ第一帯状体と、前記ウインタースポーツ用ウエアのパンツのウエスト部に備えられて前記パンツのウエスト部の開口部から雪が侵入することを防ぐ第二帯状体と、を連結する連結体であって、
少なくとも前記パンツの後身頃を左右方向に渡るように、前記第二帯状体に取付けられる他端縁と、
少なくとも前記ジャケットの後身頃を左右方向に渡るように、前記第一帯状体に取付けられる一端縁と、を有する連結体。
【考案の詳細な説明】
【技術分野】
【０００１】
本考案は、ウインタースポーツ用ウエアにおけるパンツのウエスト部の開口部やジャケットの裾の開口部から雪が侵入することを防ぐ技術に関する。
【背景技術】
【０００２】
従来、ウインタースポーツ用ウエアにおけるパンツのウエスト部の開口部やジャケットの裾の開口部から、雪が侵入することを防ぐ技術は、種々知られている。
例えば、ウインタースポーツ用ウエアのパンツのウエスト部に備えられて、パンツのウエスト部の開口部から雪が侵入することを防ぐ帯状体（ウエストゲータ）は公知となっている（特許文献１参照）。
また、ウインタースポーツ用ウエアのジャケットの内側に備えられて、ジャケットの裾の開口部から雪が侵入することを防ぐ帯状体（スノースカート）は公知となっている（特許文献２参照）。
【０００３】
このようなウインタースポーツ用ウエアでは、これの着衣者の腰部を覆いつつこれに巻きつけて、当該着衣者の腰部と帯状体との隙間を無くすようにして、パンツのウエスト部の開口部やジャケットの裾の開口部から雪が侵入することを防ぐものである。
【先行技術文献】
【特許文献】
【０００４】
【特許文献１】特開平１０−３７０１０号公報
【特許文献２】登録実用新案第３０７３０３１号公報
【考案の概要】
【考案が解決しようとする課題】
【０００５】
しかしながら、当該ウインタースポーツ用ウエアの帯状体は、帯状体の上縁または下縁が伸縮可能に構成されるため、当該ウインタースポーツ用ウエアの着衣者が動作した際に、当該上縁または下縁が捲れあがって帯状体が所望の位置から容易にずれてしまう。そして、当該ウインタースポーツ用ウエアでは、当該ずれた帯状体の上縁または下縁の開口部を介して、ジャケットの裾の開口部やパンツのウエスト部の開口部から容易に雪が侵入してしまう。
また、当該着衣者は背中を丸めた姿勢を多くとることから背中側の帯状体がずれてしまう機会が多いこと、および、着衣者が転んだ際にはその背中側が雪面に着く機会が多いことから、当該ウインタースポーツ用ウエアでは、背中側におけるジャケットの裾の開口部やパンツのウエスト部の開口部から雪が侵入する機会が多い。
【０００６】
本考案は以上の如き状況に鑑みてなされたものであり、パンツのウエスト部の開口部およびジャケットの裾の開口部からの雪の侵入を抑制すること、特に、背中側における当該開口部からの雪の侵入を防ぐことができる、ウンタースポーツ用ウエアを提供することを課題とする。
【課題を解決するための手段】
【０００７】
本考案の解決しようとする課題は以上の如くであり、次にこの課題を解決するための手段を説明する。
【０００８】
即ち、請求項１においては、ウエスト部の開口部から雪が侵入することを防ぐ第一帯状体を前記ウエスト部に備えるパンツと、裾の開口部から雪が侵入することを防ぐ第二帯状体を内側に備えるジャケットと、前記第一帯状体と前記第二帯状体とを連結する連結体と、を具備する、ウインタースポーツ用ウエアであって、前記連結体は、少なくとも前記パンツの後身頃を左右方向に渡るように、前記第一帯状体に取付けられる一端縁と、少なくとも前記ジャケットの後身頃を左右方向に渡るように、前記第二帯状体に取付けられる他端縁と、を有するものである。
【０００９】
請求項２においては、前記連結体の一端縁は、前記第一帯状体の外側に取付けられ、前記連結体の他端縁は前記第二帯状体の内側に取付けられるものである。
【００１０】
請求項３においては、前記連結体の一端縁は、前記第一帯状体に着脱可能に取付けられるものである。
【００１１】
請求項４においては、前記連結体の一端縁は、前記パンツのウエスト部の開口部より上方において前記第一帯状体に取付けられるものである。
【００１２】
請求項５においては、前記連結体の一端縁は、前記パンツの前身頃に至るように前記第一帯状体に取付けられ、前記連結体の他端縁は、前記ジャケットの前身頃に至るように前記第二帯状体に取付けられるものである。
【００１３】
請求項６においては、ウインタースポーツ用ウエアのジャケットの内側に備えられて前記ジャケットの裾の開口部から雪が侵入することを防ぐ第一帯状体と、前記ウインタースポーツ用ウエアのパンツのウエスト部に備えられて前記パンツのウエスト部の開口部から雪が侵入することを防ぐ第二帯状体と、を連結する連結体であって、少なくとも前記パンツの後身頃を左右方向に渡るように、前記第二帯状体に取付けられる他端縁と、少なくとも前記ジャケットの後身頃を左右方向に渡るように、前記第一帯状体に取付けられる一端縁と、を有するものである。
【考案の効果】
【００１４】
本考案の効果として、以下に示すような効果を奏する。
【００１５】
即ち、本考案に係るウインタースポーツ用ウエアによれば、パンツのウエスト部の開口部およびジャケットの裾の開口部からの雪の侵入を抑制すること、および、背中側における当該開口部からの雪の侵入を防ぐことができる。
【図面の簡単な説明】
【００１６】
【図１】（ａ）は本考案の実施形態に係るウインタースポーツ用ウエアを示した正面図、（ｂ）は本考案の実施形態に係るウインタースポーツ用ウエアのパンツとジャケットとを連結する状態を示した正面図。
【図２】（ａ）は本考案の実施形態に係るウインタースポーツ用ウエアのパンツを示した正面図、（ｂ）は本考案の実施形態に係るウインタースポーツ用ウエアのジャケットを示した正面図。
【図３】（ａ）は本考案の実施形態に係るウインタースポーツ用ウエアのパンツとジャケットとを連結する際の状態を示した斜視図、（ｂ）は本考案の実施形態に係るウインタースポーツ用ウエアのパンツとジャケットとを連結する状態を示した斜視図。
【図４】（ａ）は本考案の実施形態に係るウインタースポーツ用ウエアのパンツとジャケットとを連結した状態を示した斜視図。
【図５】（ａ）は本考案の実施形態に係るウインタースポーツ用ウエアのパンツとジャケットとを連結した状態を示した斜視図、（ｂ）は本考案の実施形態に係るウインタースポーツ用ウエアのパンツとジャケットとを連結した状態を示した斜視図。
【考案を実施するための形態】
【００１７】
次に、本考案に係るウインタースポーツ用ウエア１の実施の形態を、図１から図５を用いて説明する。
【００１８】
ウインタースポーツ用ウエア１（以下において「ウエア１」と称する）は、雪上におけるスポーツ（例えば、スキーやスノーボード等）を行う者によって着衣される衣類である。
【００１９】
また、ウエア１は、図１または図２に示す如く、パンツ１０と、ジャケット２０と、連結体３０と、を具備する。
パンツ１０は、長ズボンの外衣であり、第一帯状体１１を備える。ジャケット２０は、前開きの外衣であり、第二帯状体２１を備える。そして、パンツ１０の第一帯状体１１とジャケット２０の第二帯状体２１とは、連結体３０によって連結される（図１参照）。
【００２０】
パンツ１０のウエスト部の開口部１２には、これの第一帯状体１１を取付けるためのスライドファスナ１３（以下において便宜上「第一ファスナ１３」と称する）が設けられる。
パンツ１０の第一ファスナ１３は、パンツ１０のウエスト部の開口部１２であってそのやや下方の内側に設けられる。また、パンツ１０の第一ファスナ１３は、パンツ１０の後身頃を左右方向に渡るとともにこれの前身頃に至るように、パンツ１０のウエスト部の開口部１２に設けられる。
【００２１】
パンツ１０の第一帯状体１１は、所謂、ウエストゲータであり、パンツ１０のウエスト部の開口部１２に備えられる。パンツ１０の第一帯状体１１は、当該パンツ１０のウエスト部の開口部１２から雪が侵入することを防ぐものである。
【００２２】
パンツ１０の第一帯状体１１は、パンツ１０の着衣者の腰部を覆いつつこれに巻きつけることができるような帯状に構成される。
パンツ１０の第一帯状体１１の上縁（第一帯状体１１の短手方向の上縁）には、左右方向に渡って、左右方向に伸縮可能なゴム部材が設けられる。このようにして、パンツ１０の第一帯状体１１における上縁は、伸縮可能に構成される。
パンツ１０の第一帯状体１１では、その左右の端部（長手方向の両端部）にこれらを互いに留めることが可能なスナップボタンがそれぞれ設けられる。
【００２３】
パンツ１０の第一帯状体１１には、これをパンツ１０に取付けるためのスライドファスナ１４（以下において便宜上「第二ファスナ１４」と称する）が設けられる。パンツ１０の第一帯状体１１の第二ファスナ１４は、パンツ１０のウエスト部の第一ファスナ１３と係合可能に構成される。
パンツ１０の第一帯状体１１の第二ファスナ１４は、第一帯状体１１の下縁（短手方向の下方の縁部）に左右方向に渡って設けられる。
【００２４】
そして、パンツ１０の第一帯状体１１は、これの第二ファスナ１４とパンツ１０の第一ファスナ１３とを係合させることにより、パンツ１０に取付けられる。
また、パンツ１０の第一帯状体１１は、これの第二ファスナ１４とパンツ１０の第一ファスナ１３との係合を解除することにより、パンツ１０から取外される（図２（ａ）参照）。
このように、第一帯状体１１の第二ファスナ１４とパンツ１０の第一ファスナ１３とによって、第一帯状体１１はパンツ１０に着脱可能に構成される。
【００２５】
このようにパンツ１０に取付けられた第一帯状体１１は、パンツ１０のウエスト部の開口部１２において、パンツ１０の後身頃および前身頃を左右方向に渡って配置される。
また、パンツ１０に取付けられた第一帯状体１１は、その下縁がパンツ１０の着衣者の腰部よりやや下方に位置するとともに、その上縁（短手方向の上方の縁部）が当該着衣者の腰部よりの下方に位置するように、パンツ１０のウエスト部に配置される。
【００２６】
そしてパンツ１０を着衣した際に、第一帯状体１１を、パンツ１０の着衣者の腰部を覆いつつこれに巻きつける。またこの際、第一帯状体１１の上縁を伸長させながらその左右の端部を前方に持ってきて、当該左右の端部のスナップボタンを留める。このようにして、パンツ１０の着衣者の腰部と第一帯状体１１との隙間を無くすようにする（図１（ｂ）参照）。
【００２７】
また、パンツ１０の第一帯状体１１には、連結体３０の一端縁３１を取付けるためのスライドファスナ１５（以下において便宜上「第五ファスナ１５」と称する）が設けられる。パンツ１０の第一帯状体１１における第五ファスナ１５は、第一帯状体１１の外側の上下中途部（パンツ１０のウエスト部の開口部１２より上方）に設けられる。また、パンツ１０の第一帯状体１１における第五ファスナ１５は、第一帯状体１１の長手方向に沿ってこれを左右方向に渡るようにして、第一帯状体１１に設けられる。即ち、パンツ１０の第一帯状体１１における第五ファスナ１５は、パンツ１０の後身頃を左右方向に渡るとともにこれの前身頃に至るようにして、第一帯状体１１に設けられる。
また、パンツ１０の第一帯状体１１の第五ファスナ１５では、その係合始点がパンツ１０の着衣者からみて右方となるように構成されるとともに、そのスライダの引き手が内側に配置される。
なお、パンツ１０の第一帯状体１１の第五ファスナ１５では、その係合始点がパンツ１０の着衣者からみて左方となるように構成してもよく、そのスライダの引き手が外側に配置されてもよい。また、パンツ１０の第一帯状体１１の第五ファスナ１５にスライダが配置されることに限定するものではなく、第５ファスナ１５と係合する側のスライドファスナにスライダが配置されていてもよい。
【００２８】
ジャケット２０の内側には、これの第二帯状体２１を取付けるためのスライドファスナ２３（以下において便宜上「第三ファスナ２３」という」）が設けられる。
ジャケット２０の第三ファスナ２３は、ジャケット２０の着衣者の腰部よりやや上方に位置するように、ジャケット２０に設けられる。また、ジャケット２０の第三ファスナ２３は、ジャケット２０の後身頃を左右方向に渡るとともにこれの前身頃に至るように、ジャケット２０の内側に設けられる。
【００２９】
ジャケット２０の第二帯状体２１は、所謂、スノースカートまたはパウダースカートであり、ジャケット２０の内側に備えられる。ジャケット２０の第二帯状体２１は、当該ジャケット２０の裾の開口部２４から雪が侵入することを防ぐものである。
【００３０】
ジャケット２０の第二帯状体２１は、ジャケット２０の着衣者の腰部を覆いつつこれに巻きつけることができるような帯状に構成される。
ジャケット２０の第二帯状体２１の上部（第二帯状体２１における短手方向の上部）は、伸縮可能な布地で構成される。
ジャケット２０の第二帯状体２１の下縁（第二帯状体２１の短手方向の下縁）には、左右方向に渡って、左右方向に伸縮可能なゴム部材が設けられる。このようにして、ジャケット２０の第二帯状体２１における下縁は、伸縮可能に構成される。
ジャケット２０の第二帯状体２１では、その左右の端部（長手方向の両端部）にこれらを互いに留めることが可能なスナップボタンがそれぞれ設けられる。
【００３１】
ジャケット２０の第二帯状体２１には、これをジャケット２０に取付けるためのスライドファスナ２５（以下において便宜上「第四ファスナ２５」と称する）が設けられる。ジャケット２０の第二帯状体２１の第四ファスナ２５は、ジャケット２０の内側の第三ファスナ２３と係合可能に構成される。
ジャケット２０の第二帯状体２１の第四ファスナ２５は、第二帯状体２１の上縁（第二帯状体２１における短手方向の上方の縁部）に左右方向に渡って設けられる。
【００３２】
そして、ジャケット２０の第二帯状体２１は、これの第四ファスナ２５とジャケット２０の第三ファスナ２３とを係合させることにより、ジャケット２０に取付けられる。
また、ジャケット２０の第二帯状体２１は、これの第四ファスナ２５とジャケット２０の第三ファスナ２３との係合を解除することにより、ジャケット２０から取外される（図２（ｂ）参照）。
このように、第二帯状体２１の第四ファスナ２５とジャケット２０の第三ファスナ２３とによって、第二帯状体２１は、ジャケット２０に着脱可能に構成される。
【００３３】
このようにジャケット２０に取付けられた第二帯状体２１は、ジャケット２０の内側において、ジャケット２０の後身頃および前身頃を左右方向に渡って配置される。
また、ジャケット２０に取付けられた第二帯状体２１は、その上縁がジャケット２０の着衣者の腰部よりやや上方に位置するとともに、その下縁（短手方向の下方の縁部）が当該着衣者の腰部よりの下方に位置するように、ジャケット２０の内側に配置される。
【００３４】
そして、ジャケット２０を着衣した際に、第二帯状体２１を、ジャケット２０の着衣者の腰部を覆いつつこれに巻きつける。またこの際、第二帯状体２１の下縁を伸長させながらその左右の端部を前方に持ってきて、当該左右の端部のスナップボタンを留める。このようにして、ジャケット２０の着衣者の腰部と第二帯状体２１との隙間を無くすようにする状態とする（図１（ｂ）参照）。
【００３５】
ウエア１における連結体３０は、パンツ１０の第一帯状体１１とジャケット２０の第一帯状体１１とを連結するものである。
【００３６】
連結体３０は、左右方向に長い略四角形の布片であり、その長手方向の長さは、パンツ１０の第一帯状体１１の第五ファスナ１５と略同一となるように構成される。即ち、連結片の長手方向の長さは、パンツ１０の第一帯状体１１における第五ファスナ１５は、パンツ１０の後身頃を左右方向に渡るとともにこれの前身頃に至るような長さに構成される。そして、連結体３０は、その短手方向（長手方向側）の一方の縁部である一端縁３１と、その短手方向（長手方向側）の他方の縁部である他端縁３２とを有する。
【００３７】
上縁（他端）
連結体３０の他端縁３２は、ジャケット２０の第二帯状体２１の内側における上下中途部に固定されて第二帯状体２１に取付けられる。また、連結体３０の他端縁３２は、ジャケット２０の後身頃を左右方向に渡るとともにこれの前身頃に至るように、ジャケット２０の第二帯状体２１に取付けられる。
【００３８】
連結体３０には、これの一端縁３１がパンツ１０の第一帯状体１１に取付けられるためのスライドファスナ３３（以下において便宜上「第六ファスナ３３」と称する）が設けられる。
そして、図３から図５に示す如く、連結体３０の第六ファスナ３３とパンツ１０の第一帯状体１１の第五ファスナ１５とを係合させることにより、連結体３０の一端縁３１は、パンツ１０の第一帯状体１１に取付けられる。なお、図３から図５においては、連結体３０の第六ファスナ３３とパンツ１０の第一帯状体１１の第五ファスナ１５とを係合させるためのスライダは、連結体３０の第六ファスナ３３に配置される。
また、これの第六ファスナ３３とパンツ１０の第一帯状体１１の第五ファスナ１５との係合を解除することにより、連結体３０の一端縁３１は、パンツ１０の第一帯状体１１から取外される。
このように、連結体３０の第六ファスナ３３とパンツ１０の第一帯状体１１の第五ファスナ１５とによって、連結体３０の一端縁３１は、パンツ１０の第一帯状体１１の着脱可能に取付けられる。
【００３９】
また、連結体３０の一端縁３１は、パンツ１０の後身頃を左右方向に渡るとともにこれの前身頃に至るようにパンツ１０の第一帯状体１１に取付けられる。連結体３０の一端縁３１は、第五ファスナ１５がパンツ１０の第一帯状体１１の外側に設けられるため、パンツ１０の第一帯状体１１の外側に取付けられる。連結体３０の一端縁３１は、第五ファスナ１５がパンツ１０のウエスト部の開口部１２より上方に設けられるため、パンツ１０のウエスト部の開口部１２より上方においてパンツ１０の第一帯状体１１に取付けられる。
【００４０】
このようにウエア１では、その連結体３０の一端縁３１がパンツ１０の第一帯状体１１に取付けられるとともに、連結体３０の他端縁３２がジャケット２０の第二帯状体２１に取付けられることによって、連結体３０は、パンツ１０の第一帯状体１１とジャケット２０の第二帯状体２１と連結する。
この際、連結体３０の一端縁３１は、少なくともパンツ１０の後身頃を左右方向に渡るように、第一帯状体１１取付けられる。連結体３０の他端縁３２は、少なくともジャケット２０の後身頃を左右方向に渡るように、第二帯状体２１に取付けられる。
即ち、ウエア１では、パンツ１０の第一帯状体１１とジャケット２０の第二帯状体２１とを連結体３０によって連結した際には、少なくともパンツ１０のおよびジャケット２０の後身頃において、パンツ１０の第一帯状体１１とジャケット２０の第二帯状体２１とを、連結体３０によって遮蔽した状態としている（図５参照）。
したがって、ウエア１によれば、背中側におけるパンツ１０のウエスト部の開口部１２およびジャケット２０の裾の開口部２４からの雪の抑制を防ぐことができる。特に、当該開口部１２・２４からの雪の侵入を抑制することがきる。
【００４１】
また、ウエア１では、その連結体３０の一端縁３１は、パンツ１０の前身頃の一部に至るように第一帯状体１１に取付けられる。連結体３０の他端縁３２は、ジャケット２０の前身頃の一部に至るように第二帯状体２１に取付けられる。
即ち、ウエア１では、パンツ１０の第一帯状体１１とジャケット２０の第二帯状体２１とを連結体３０によって連結した際には、少なくともパンツ１０およびジャケット２０の前身頃の一部において、パンツ１０の第一帯状体１１とジャケット２０の第二帯状体２１とを、連結体３０によって遮蔽した状態としている。
したがって、ウエア１によれば、パンツ１０のウエスト部の開口部１２およびジャケット２０の裾の開口部２４からの雪の侵入をより抑制することがきる。
さらに、ウエア１がこのように構成されることから、パンツ１０の第一帯状体１１の第五ファスナ１５と連結体３０の第六ファスナ３３とにおける係合始点および係合終点は、パンツ１０の前身頃に配置されることとなる。このため、ウエア１によれば、パンツ１０の第一帯状体１１への連結体３０の一端縁３１の取付け、または、パンツ１０の第一帯状体１１からの連結体３０の一端縁３１の外しが容易となる。
【００４２】
また、ウエア１では、連結体３０の一端縁３１はパンツ１０の第一帯状体１１の外側に取付けられ、連結体３０の他端縁３２はジャケット２０の第二帯状体２１の内側に取付けられる。このため、ウエア１によれば、パンツ１０の第一帯状体１１とジャケット２０の第二帯状体２１とを連結体３０によって連結しつつ、これを着衣する際に、パンツ１０の第一帯状体１１の外側にジャケット２０の第二帯状体２１を配置して、パンツ１０の第一帯状体１１とジャケット２０の第二帯状体２１とで二重構造とすることができる。例えばウエア１を着衣する際に、まず、パンツ１０を着衣してパンツ１０の第一帯状体１１を腰部に巻きつける。次に、ジャケット２０を着衣してパンツ１０の第一帯状体１１に連結体３０の一端縁３１を取付ける。更に、ジャケット２０の第二帯状体２１を腰部に巻きつける。
したがって、ウエア１によれば、パンツ１０の第一帯状体１１とジャケット２０の第二帯状体２１とを連結体３０によって連結しつつ、パンツ１０の第一帯状体１１とジャケット２０の第二帯状体２１とで二重構造として、着衣者の腰部の保温性を高めることができる。
【００４３】
連結体３０は略四角形の布片で構成され、その短手方向の一方の縁部である一端縁３１がパンツ１０の第一帯状体１１に取付けられ、その短手方向の他方の縁部である他端縁３２がジャケット２０の第二帯状体２１に取付けられる。即ち、ウエア１では、パンツ１０の第一帯状体１１とジャケット２０の第二帯状体２１との距離が短くなるように構成されている。
したがって、ウエア１によれば、パンツ１０の第一帯状体１１またはジャケット２０の第二帯状体２１が容易に互いに引っ張り合う状態となるため、これらが所望の位置から大きくずれることを防止することができる。また、パンツ１０の第一帯状体１１とジャケット２０の第二帯状体２１との二重構造を確実に保持した状態とすることができる。
【００４４】
連結体３０の一端縁３１は、パンツ１０の第一帯状体１１に着脱可能に取付けられる。
したがって、ウエア１によれば、パンツ１０の第一帯状体１１とジャケット２０の第二帯状体２１とを連結体３０によって連結する構造であっても、容易にこれを着衣または脱衣することが可能となる。
【００４５】
連結体３０の一端縁３１は、パンツ１０のウエスト部の開口部１２より上方においてパンツ１０の第一帯状体１１に取付けられる。
このため、ウエア１によれば、連結体３０とパンツ１０の第一帯状体１１とが取付けられる部分が、着衣者の比較的硬い部分である腰部と接触し難いこととなる。
したがって、ウエア１によれば、連結体３０とパンツ１０の第一帯状体１１とが取付けられる部分が着衣者の腰部に接触してこれが破損することを抑制することができる。
【００４６】
パンツ１０の第一帯状体１１は、面ファスナによってパンツ１０に取付けられてもよく、また、パンツ１０に固定して取付けられてもよい。
ジャケット２０の第二帯状体２１は、面ファスナによってジャケット２０に取付けられてもよく、また、ジャケット２０に固定して取付けられてもよい。
連結体３０は、その他端縁３２がジャケット２０の第二帯状体２１に着脱可能に取付けられるように構成されてもよい。
連結体３０は、その一端縁３１がパンツ１０の第一帯状体１１に固定されて取付けられ、且つ、その他端縁３２がジャケット２０の第二帯状体２１に着脱可能に取付けられるように構成されてもよい。
連結体３０の一端端は、面ファスナによってパンツ１０の第二帯状体２１に取付けられてもよい。
【符号の説明】
【００４７】
１    ウインタースポーツ用ウエア
１０    パンツ
１１    第一帯状体
１２    開口部
２０    ジャケット
２１    第二帯状体
２４    開口部
３０    連結体
３１    一端縁
３２    他端縁
【図１】
0003158932.tif 000003
【図２】
0003158932.tif 000004
【図３】
0003158932.tif 000005
【図４】
0003158932.tif 000006
【図５】
0003158932.tif 000007